(57)【特許請求の範囲】
【請求項１】
筐体の前面開口部に一方の側方を回動支点として前後に開閉する開閉扉を設け、
前記筐体は前記開口部の前記一方の側方の天井面および底面に一対の固定軸を対向して有し、
前記開閉扉は前記一方の側方の上面に前記筐体の前記天井面の固定軸と係合する係合孔と前記一方の側方の底面に前記筐体の前記底面の固定軸と係合する側端面に開口部を有する切欠溝とを有し、
前記開閉扉の前記切欠溝の上面に前記筐体の前記底面の固定軸と係合する係合孔を有する抑え部材を取り付けた回転扉の支持機構において、
前記抑え部材の先端部が開閉扉の一方の側端面から突出して取り付けられ、前記筐体の前記底面に前記開閉扉の開扉時に前記抑え部材の先端部が当接する係止部材を設けたことを特徴とする回転扉の支持機構。
【請求項２】
筐体の前面開口部に一方の側方を回動支点として前後に開閉する開閉扉を設け、
前記筐体は前記開口部の前記一方の側方の天井面および底面に一対の固定軸を対向して有し、
前記開閉扉は前記一方の側方の上面に前記筐体の前記天井面の固定軸と係合する係合孔と前記一方の側方の底面に前記筐体の前記底面の固定軸と係合する側端面に開口部を有する切欠溝とを有し、
前記開閉扉の前記切欠溝の上面に前記筐体の前記底面の固定軸と係合する係合孔を有する抑え部材を取り付けた回転扉の支持機構において、
前記筐体の前面開口部の底面および開閉扉の底面の裏面に、前記開閉扉の開扉時に互いに接触する突起をそれぞれ設けたことを特徴とする回転扉の支持機構。
【発明の詳細な説明】
【０００１】
【発明の属する技術分野】
本発明は、建物の壁に取り付けた筐体に対して取り付けおよび取り外しが容易な回転扉の支持機構に関し、例えば壁掛形防災アンプの開閉扉に適用して好適なものである。
【０００２】
【従来の技術】
建物の壁に取り付けた筐体に対して回転扉を取り付ける構造としては、例えば壁掛形防災アンプがある。壁掛形防災アンプはラック形防災アンプと共に消防法の規定から一定規模以上の建物に設置が義務付けられた放送設備である。
【０００３】
ラック形防災アンプが縦長のラックの中に操作ユニット、制御ユニット、電源ユニット等の各種ユニットを装着して構成したものであるのに対し、壁掛形防災アンプは建物の壁に直接固定する一体構成形の比較的小形のものである。
【０００４】
前述したように、壁掛形防災アンプは筐体を建物の壁に固定し、筐体の前面に開閉扉を回動自在に取り付けた構成となっている。開閉扉はマイクロホンをはじめ非常起動スイッチや放送階選択スイッチなどが装備された操作パネルを形成している。
【０００５】
【発明が解決しようとする課題】
ところで、従来の壁掛形防災アンプの開閉扉は、筐体の内側面に蝶番によって回動自在に取り付ける構造であるため、設置工事の際に壁に固定した筐体に開閉扉を取り付ける作業は一人では困難であった。また、メンテナンス時においても壁に固定した筐体から開閉扉を取り外す作業は困難であった。
【０００６】
本発明は、このような従来の課題を解決するためになされたもので、筐体に対する取り付けおよび取り外しが容易な回転扉の支持機構を提供することを目的とする。
【０００７】
【課題を解決するための手段】
本発明による回転扉の支持機構は、筐体の前面開口部に一方の側方を回動支点として前後に開閉する開閉扉を設け、筐体は開口部の一方の側方の天井面および底面に一対の固定軸を対向して有し、開閉扉は一方の側方の上面に筐体の天井面の固定軸と係合する係合孔と一方の側方の底面に筐体の底面の固定軸と係合する側端面に開口部を有する切欠溝とを有し、開閉扉の切欠溝の上面に筐体の底面の固定軸と係合する係合孔を有する抑え部材を取り付けた回転扉の支持機構において、抑え部材の先端部が開閉扉の一方の側端面から突出して取り付けられ、筐体の底面に開閉扉の開扉時に抑え部材の先端部が当接する係止部材を設けたものであり、または、前記筐体の前面開口部の底面および開閉扉の底面の裏面に、前記開閉扉の開扉時に互いに接触する突起をそれぞれ設けたものである。
【０００８】
本発明によれば、筐体に対する取り付けおよび取り外しが容易な開閉扉を備えた回転扉の支持機構が得られる。
【０００９】
【発明の実施の形態】
本発明の請求項１に記載の発明は、筐体の前面開口部に一方の側方を回動支点として前後に開閉する開閉扉を設け、筐体は開口部の一方の側方の天井面および底面に一対の固定軸を対向して有し、開閉扉は一方の側方の上面に筐体の天井面の固定軸と係合する係合孔と一方の側方の底面に筐体の底面の固定軸と係合する側端面に開口部を有する切欠溝とを有し、開閉扉の切欠溝の上面に筐体の底面の固定軸と係合する係合孔を有する抑え部材を取り付けた回転扉の支持機構において、抑え部材の先端部が開閉扉の一方の側端面から突出して取り付けられ、筐体の底面に開閉扉の開扉時に抑え部材の先端部が当接する係止部材を設けたものである。
【００１０】
本発明によると、筐体の天井面の固定軸に開閉扉の上面の係合孔を嵌め込み、筐体の底面の固定軸に開閉扉の切欠溝を開口部から嵌め込み、抑え部材を開閉扉の底面上に固定することで開閉扉を筐体に取り付けることができるという作用を有する。
【００１２】
また、本発明によると、開閉扉の開扉時に抑え部材の先端部が係止部材と当接して開閉扉の開扉角度を規制するという作用を有する。
【００１３】
本発明の請求項２に記載の発明は、筐体の前面開口部に一方の側方を回動支点として前後に開閉する開閉扉を設け、筐体は開口部の一方の側方の天井面および底面に一対の固定軸を対向して有し、開閉扉は一方の側方の上面に筐体の天井面の固定軸と係合する係合孔と一方の側方の底面に筐体の底面の固定軸と係合する側端面に開口部を有する切欠溝とを有し、開閉扉の切欠溝の上面に筐体の底面の固定軸と係合する係合孔を有する抑え部材を取り付けた回転扉の支持機構において、筐体の前面開口部の底面および開閉扉の底面の裏面に、開閉扉の開扉時に互いに接触する突起をそれぞれ設けたものである。
【００１４】
本発明によると、筐体に対する取り付けおよび取り外しが容易な開閉扉を備えた回転扉が得られると共に、開閉扉が開いたときにそれぞれの突起が互いに摩擦係合して開閉扉を静止させるという作用を有する。
【００１５】
以下、本発明の実施の形態について、図１〜図５を用いて説明する。
【００１６】
（実施の形態１）
図１は、本発明が適用される壁掛形防災アンプの正面図で、建物の壁（図示せず）に固定された筐体１の前面に、操作パネル構成の開閉扉２が取り付けられた構成を示している。
【００１７】
開閉扉２の表面には、マイクロホン３のほか、非常起動スイッチ、非常復旧スイッチ、火災放送スイッチ、非火災放送スイッチ、放送階選択スイッチ等の各種操作子が装備されている。開閉扉２を開けるには、左端に取り付けられているネジ４ａ，４ｂを取り外し、開閉扉２の左端側を手前に引くことで、右端側を回動支点として開けることができる。
【００１８】
図２は、本発明による回転扉の支持機構の実施の形態１を示す斜視図で、筐体１と開閉扉２との結合関係を示す図である。同図において、筐体１は前面の枠体１１の右内側面１１ａから横方向に一定の距離をおいて枠体１１の天井面１１ｂおよび底面１１ｃに固定軸１２ａ，１２ｂを立設した構成を有し、さらに固定軸１２ｂの後方に枠体１１に対して後方に直交する面状の係止部材１３を立設した構成を有している。
【００１９】
開閉扉２は上面２１に右端面２２から横方向に一定の距離をおいて係合孔２１ａが穿設されており、底面２３には右端面２２側に開口部を有する切欠溝２３ａが穿設されている。係合孔２１ａが筐体１の固定軸１２ａと係合し、切欠溝２３ａが筐体１の固定軸１２ｂと係合する。こうして開閉扉２が筐体１に対して回動自在に取り付けられる。
【００２０】
また、開閉扉２の右端面２２の下部には、固定軸１２ｂと切欠溝２３ａとが係合する際の固定軸１２ｂに対する逃げとして切り欠き２２ａが設けられている。また、開閉扉２の底面２３上には、固定軸１２ｂと切欠溝２３ａとの係合後に上方から抑え部材５が取り付けられる構成となっている。
【００２１】
図３は、筐体１、開閉扉２、抑え部材５の係合関係を示す分解斜視図である。抑え部材５は底面５ａと立上り片５ｂとを有し、底面５ａには係合孔５ｃが穿設され、立上り片５ｂにはネジ孔５ｄ，５ｅが穿設されている。
【００２２】
この抑え部材５は底面５ａが開閉扉２の底面２３上に載置され、係合孔５ｃに固定軸１２ｂの先端が挿入される状態で取り付けられる。これにより切欠溝２３ａの開口部は抑え部材５の底面５ａによって塞がれ、固定軸１２ｂが切欠溝２３ａから抜け出るのを阻止することができる。
【００２３】
また、抑え部材５はネジ孔５ｄが開閉扉２の底面２３から立上った後端面２３ｂに穿設されたネジ孔２３ｃと位置決めされてネジ６により開閉扉２に固定される。また、抑え部材５はネジ孔５ｅが開閉扉２の右端面２２から立上った後端面２２ｂに穿設された長孔２２ｃと位置決めされてネジ７により開閉扉２に固定される。
【００２４】
また、抑え部材５は先端部５ｆが開閉扉２の右端面２２より外側に突出した状態で取り付けられ、開閉扉２の開扉時に先端部５ｆの側面５ｇが係止部材１３と当接して開閉扉２の開扉角度を規制する役目を果たしている。
【００２５】
図４は、開閉扉２が開いたときに筐体１の係止部材１３と抑え部材５の先端部５ｆの側面５ｇとが当接して開閉扉２の開扉角度を規制している状態を示す要部平面図である。
【００２６】
この図から明らかなように、側面５ｇの切り落とし角度θを変更することによって開閉扉２の開扉角度を調整することができる。なお、開閉扉２が閉じたときに、抑え部材５の先端部５ｆが筐体１の枠体１１に当接するのを避けるために、内側面１１ａの下部に切り欠き１１ｄを設けている。
【００２７】
また、開閉扉２が開いたときに開閉扉２を静止させるための簡易なロック機構として、枠体１１の底面１１ｃ上に固定軸１２ｂに隣接して突起１１ｅを設け、開閉扉２の底面２３の裏面に切欠溝２３ａに隣接して突起２３ｄを設けている。これにより、開閉扉２の開扉時に両突起１１ｅ，２３ｄが摩擦係合して開閉扉２を静止させることができる。
【００２８】
この構成において、設置工事時に壁に固定した筐体１に開閉扉２を取り付けるには、開閉扉２を筐体１の前面開口部に対してほぼ直交させ、筐体１の固定軸１２ａに開閉扉２の係合孔２１ａを嵌め込み、筐体１の固定軸１２ｂに切欠溝２３ａを開口部から嵌め込む。
【００２９】
次いで、抑え部材５を開閉扉２の底面２３上に載置する。このとき固定軸１２ｂの先端が係合孔５ｃを貫通する状態で載置する。そして、開閉蓋２のネジ孔２３ｃと抑え部材５のネジ孔５ｄとを位置決めしてネジ６で固着し、開閉蓋２の長孔２２ｃと抑え部材５のネジ孔５ｅとを位置決めしてネジ７で固着する。
【００３０】
逆に、メンテナンス等で筐体１から開閉扉２を取り外す場合は、開閉扉２を開いた状態でネジ６，７を取り外し、図５に示すように、抑え部材５を固定軸１２ｂから上方に抜き取る。抑え部材５を外しても開閉扉２は自重でＡ方向に作用するため、開閉扉２は脱落することなく安全性を確保することができる。
【００３１】
次いで、固定軸１２ａを支点として開閉扉２の下部をＢ方向に引き出すと、切欠溝２３ａから固定軸１２ｂが外れ、次いで係合孔２１ａが固定軸１２ａから外れるので、開閉扉２を筐体１から取り外すことができる。
【００３２】
【発明の効果】
本発明によれば、筐体の天井面の固定軸に開閉扉の上面の係合孔を嵌め込み、筐体の底面の固定軸に開閉扉の切欠溝を開口部から嵌め込み、抑え部材を開閉扉の底面上に固定することで開閉扉を筐体に取り付けることができるので、筐体に対する開閉扉の取り付けおよび取り外し作業が容易であるという有利な効果が得られる。
【００３３】
本発明によれば、抑え部材の先端部が開閉扉の一方の側端面から突出して取り付けられ、筐体底面に開閉扉の開扉時に抑え部材の先端部が当接する係止部材を設けたので、開閉扉の開扉時に抑え部材の先端部が係止部材と当接して開閉扉の開扉角度を規制するという有利な効果が得られる。
【００３４】
本発明によれば、筐体の前面開口部の底面および開閉扉の底面の裏面に開閉扉の開扉時に互いに接触する突起をそれぞれ設けたので、開閉扉が開いたときにそれぞれの突起が互いに摩擦係合して開閉扉を静止させるという有利な効果が得られる。
【図面の簡単な説明】
【図１】本発明が適用される壁掛形防災アンプの正面図
【図２】本発明による筐体と開閉扉との結合関係を示す斜視図
【図３】筐体と開閉扉と抑え部材との係合関係を示す分解斜視図
【図４】開閉扉の抑え部材と筐体の係止部材とが当接して開扉角度を規制している状態を示す要部平面図
【図５】筐体から開閉扉を取り外す場合の手順を示す説明図
【符号の説明】
１  筐体
２  開閉扉
４ａ，４ｂ  ネジ
５  抑え部材
５ａ  底面
５ｂ  立上り片
５ｃ  係合孔
５ｄ，５ｅ  ネジ孔
５ｆ  先端部
５ｇ  側面
６，７  ネジ
１１  枠体
１１ａ  右内側面
１１ｂ  天井面
１１ｃ  底面
１１ｄ  切り欠き
１１ｅ  突起
１２ａ，１２ｂ  固定軸
１３  係止部材
２１  上面
２１ａ  係合孔
２２  右端面
２２ａ  切り欠き
２２ｂ  後端面
２２ｃ  長孔
２３  底面
２３ａ  切欠溝
２３ｂ  後端面
２３ｃ  ネジ孔
２３ｄ  突起
【図１】
0004023930.tif 000002
【図２】
0004023930.tif 000003
【図３】
0004023930.tif 000004
【図４】
0004023930.tif 000005
【図５】
0004023930.tif 000006